(57)【要約】【課題】  ヒンジ蓋を有するキャップ付き容器において、使用状態に応じて、キャップを容器本体から取り外すことなく、多様な態様で内容物若しくは収納物の取り出し、あるいは充填ができるようにすることを課題とし、もって機能、および利便性を大きく向上させたキャップ付き容器を提供することを目的とする。【解決手段】  キャップ付き容器において、容器本体と、容器本体の口筒部に組付き固定し、端部ヒンジを介して口筒部の開口部を開閉可能に覆うヒンジ蓋を連結したキャップ体を有し、ヒンジ蓋を、天板に形成したヒンジ部を基端部として部分的に開閉可能とし、ヒンジ部と端部ヒンジにより２段階状に開閉可能な構成とする。【選択図】図３
2006206156.tif 000002
【特許請求の範囲】
【請求項１】
容器本体(1)と、前記容器本体(1)の口筒部(2)に組付き固定し、端部ヒンジ(12)を介して口筒部(2)の開口部(2a)を開閉可能に覆うヒンジ蓋(11)を連結したキャップ体(3)を有し、前記ヒンジ蓋(11)を、天板(11a)に形成したヒンジ部(13)を基端部として部分的に開閉可能とし、前記ヒンジ部(13)と端部ヒンジ(12)により２段階状に開閉可能な構成としたキャップ付き容器。
【請求項２】
容器本体(1)の内部に、区画され、口筒部(2)の開口部（２a)に連通した少なくとも２つの区画室(20)を形成し、ヒンジ部(13)を基端部としたヒンジ蓋(11)の部分的な開放により、前記区画室(20)の１つだけが外部に開放される構成とした請求項１記載のキャップ付き容器。
【請求項３】
キャップ体(3)を、口筒部(2)に組付き固定する有頂筒状のキャップ本体(4)を有し、該キャップ本体(4)の側部に端部ヒンジ(12)を介してヒンジ蓋(11)を連結したものとし、口筒部(2)の開口部(2a)を覆う前記キャップ本体(4)の頂壁(5)に少なくとも２つの開口孔(6)を形成し、ヒンジ部(13)を基端部としてのヒンジ蓋(11)の部分的な開放により、前記開口孔(6)の１つだけが開放される構成とした請求項１記載のキャップ付き容器。
【請求項４】
容器本体(1)内部に区画された少なくとも２つの区画室(20)を有し、各区画室(20)が１つの開口孔(6)に連通する構成とした請求項３記載のキャップ付き容器。
【請求項５】
収納物を他の収納物と分別して収納するための収納部(21)を少なくとも１つの開口孔(6)の下に配設する構成とした請求項３記載のキャップ付き容器。
【請求項６】
有底筒状の収納部(21)を頂壁(5)の開口孔(6)開口周縁部から垂下配設する構成とした請求項５記載のキャップ付き容器。
【請求項７】
収納部(21)を交換可能な構成とした請求項５または６記載のキャップ付き容器。
【請求項８】
頂壁(5)の前半部と後半部にそれぞれ前部開口孔(6f)と後部開口孔(6b)を開口し、ヒンジ蓋(11)を、キャップ本体(4)の後端部に端部ヒンジ(12)を介して連結し、該ヒンジ蓋(11)を前後方向の略中央部を横断するヒンジ(13)で前半部(14f)と後半部(14b)に２分し、前記ヒンジ(13)を基端部としてヒンジ蓋(11)の前半部(14f)だけ開放して前記前部開口孔(6f)だけが開放される構成とし、収納部(21)の壁に通気孔(25)を形成し、該収納部(21)内に乾燥剤、酸素吸収剤等の内容物保存のための材料を交換可能に収納し、後部開口孔(6b)下に配設する構成とした請求項５、６または７記載のキャップ付き容器。
【発明の詳細な説明】
【技術分野】
【０００１】
本発明は、ヒンジ蓋を有するキャップ付き容器に関する。
【背景技術】
【０００２】
たとえば特許文献１に、ヒンジ蓋付きのキャップに係る発明が記載されているように、ヒンジ蓋を有するキャップ付き容器は内容物を取り出す際にキャップを容器本体から取り外す必要がなく、ワンタッチで開閉できること、また取り外したキャップを紛失することも無く、キャップをテーブル等に置いた際にキャップに付着した内容物がテーブルを汚したりすることがないので食料品、医薬品、化粧料等様々な分野で便利に使用されている。
【０００３】
一方、特許文献２には中蓋に乾燥剤を格納した錠剤保管容器に関する発明が記載されている。この例のように従来より目的に応じて、食料品、薬剤等の本来使用する内容物の他に、乾燥剤、酸素吸収剤等の内容物の品質を維持するための補助的材料を容器内あるいはキャップ内にセットした容器が使用されている。
【特許文献１】特開２００１−３９６８１１号公報
【特許文献２】特開２００１−９７４３８号公報
【発明の開示】
【発明が解決しようとする課題】
【０００４】
たとえば、補助的材料として乾燥剤を容器内あるいはキャップ内にセットした容器では普段の使用においては乾燥剤に直接外気が進入することがなく、内容物だけを取り出すことができ、内容物を消費した後には内容物を再充填し、さらに効力の低下した補助材料も取り出して交換できるような容器の要求がある。
そして、キャップを容器本体から取り外すことなく、ヒンジ蓋で上記のような機能が発揮できれば、ヒンジ蓋を有するキャップ付き容器の機能、および利便性を大きく向上させることができる。
【０００５】
そこで本発明は、ヒンジ蓋を有するキャップ付き容器において、使用状態に応じて、キャップを容器本体から取り外すことなく、多様な態様で内容物若しくは収納物の取り出し、あるいは充填ができるようにすることを課題とし、もって機能、および利便性を大きく向上させたキャップ付き容器を提供することを目的とする。
【課題を解決するための手段】
【０００６】
上記技術的課題を解決する方法のうち、請求項１記載の発明の手段は、
容器本体と、容器本体の口筒部に組付き固定し、端部ヒンジを介して口筒部の開口部を開閉可能に覆うヒンジ蓋を連結したキャップ体を有すること、
ヒンジ蓋を、天板に形成したヒンジ部を基端部として部分的に開閉可能とし、ヒンジ部と端部ヒンジにより２段階状に開閉可能な構成としたこと、にある。
【０００７】
請求項１記載の上記構成により、ヒンジ蓋をヒンジ部と端部ヒンジにより２段階状に開閉でき、また天板に形成したヒンジ部を基端部としてヒンジ蓋を部分的に開閉できるので、たとえば普段の使用時にはヒンジ蓋を端部ヒンジから全開放して開口部を大きく開放することなく、ヒンジ部から部分的に開放して内容物を適量取り出して使用することができる。
【０００８】
また内容物を使いきった際には、キャップ体を口筒部から取り外すことなく、ヒンジ蓋を全開放して開口部を大きく開放して内容物をこぼすことなく短時間に再度容器内に再充填することができる。
【０００９】
請求項２記載の発明の手段は、請求項１記載の発明において、容器本体の内部に、区画され、容器本体の口筒部の開口部に連通した少なくとも２つの区画室を形成し、ヒンジ部を基端部としたヒンジ蓋の部分的な開放により、区画室の１つだけが外部に開放されるように構成したこと、にある。
【００１０】
請求項２記載の上記構成により、たとえば区画された一方の区画室に普段取り出して使用する内容物を充填しておき、他方の区画室にたまに内容物と一緒に使用する材料、あるいは乾燥剤等の補助材料を収納しておけば、ヒンジ部を基端部としたヒンジ蓋の部分的な開放により内容物が充填された一方の区画室のみが外部に開放されるので、普段はヒンジ蓋を部分的に開けて内容物を使用することができ、必要に応じて端部ヒンジからヒンジ蓋全体を開けて他方の区画室の材料を取り出したり、交換することができる。すなわち収納物を分別保管しながら必要に応じた便利な使い方ができる。
【００１１】
請求項３記載の発明の手段は、請求項１記載の発明において、
キャップ体を、口筒部に組付き固定する有頂筒状のキャップ本体を有し、このキャップ本体の側部に端部ヒンジによりヒンジ蓋を連結したものとすること、
口筒部の開口部を覆うキャップ本体の頂壁に少なくとも２つの開口孔を形成すること、
ヒンジ部を基端部としてのヒンジ蓋の部分的な開放により、開口孔の１つだけが開放される構成としたこと、
にある。
【００１２】
請求項３記載の上記構成は、容器本体の口筒部の開口部を、少なくとも２つの開口孔を形成した頂壁で覆い、さらにこの開口孔をヒンジ蓋で開閉可能に覆ようにしたものであり、頂壁に内容物の取り出し、あるいは再充填等に都合の良い開口孔をそれぞれ形成することができ、より便利に使用することができる。たとえば内容物が胡椒のような場合には、多数の小孔の集合領域を開口孔とすることもできる。
【００１３】
請求項４記載の発明の手段は、請求項３記載の発明において、容器本体が内部に区画された少なくとも２つの区画室を有し、各区画室がそれぞれ１つの開口孔に連通する構成としたこと、にある。
【００１４】
請求項４記載の上記構成により、たとえば区画された一方の区画室に普段取り出して使用する内容物を収納しておき、他方の区画室にたまに内容物と一緒に使用する材料、あるいは乾燥剤等の補助材料を収納し、ヒンジ部を基端部としたヒンジ蓋の部分的な開放により、上記内容物が充填された一方の区画室のみが開口孔を通して外部に開放されるようにいておけば、普段はヒンジ蓋を部分的に開けて内容物を適量取り出して使用することができ、必要に応じて端部ヒンジからヒンジ蓋全体を開けて他方の区画室の材料を取り出したり、交換することができる。すなわち収納物を分別保管しながら必要に応じた便利な使い方ができる。
【００１５】
請求項５記載の発明の手段は、請求項３記載の発明において、収納物を他の収納物と分別して収納するための収納部を少なくとも１つの開口孔の下に配設する構成としたこと、にある。
【００１６】
請求項５記載の上記構成により、たとえば容器内に普段取り出して使用する内容物のほかに、収納部に乾燥剤、酸化防止剤等の補助材料を入れて、２段階状に開閉可能なヒンジ蓋と組み合わせてさまざまな態様で便利に使用することができる。なお、乾燥剤や酸化防止剤等の補助材料を入れて使用する場合には収納部に通気孔を形成する等して通気可能にしておく。
【００１７】
請求項６記載の発明の手段は、請求項５記載の発明において、有底筒状の収納部をキャップ本体の頂壁の開口孔開口周縁部から垂下配設する構成としたこと、にある。
【００１８】
請求項６記載の上記構成は、収納部の配設方法、配設位置に係る具体例で、キャップ本体の頂壁の開口孔開口周縁部から垂下配設する構成であり、頂壁に一体設することもでき、部材の構成を簡略化でき製造コストを低減できる。
【００１９】
請求項７記載の発明の手段は、請求項５または６記載の発明において、収納部を交換可能な構成としたこと、にある。
【００２０】
請求項７記載の上記構成は、収納部ごと収納物を交換することのできる例であり、より便利に使用することができる。たとえば収納物が乾燥剤の場合、交換用として新しい乾燥剤を収納しシールフィルムで密閉した小型カップ状容器等の収納部を用意しておけば、交換時にはシールフィルムを剥がして通気孔を開放した状態で外部に乾燥剤をこぼすこともなく容易に乾燥剤を交換することができる。
【００２１】
請求項８記載の発明の手段は、請求項５、６または７記載の発明において、
頂壁の前半部と後半部にそれぞれ前部開口孔と後部開口孔を開口すること、
ヒンジ蓋をキャップ本体の後端部に端部ヒンジを介して連結すること、
ヒンジ蓋を、前後方向の略中央部を横断するヒンジで前半部と後半部に２分すること、
ヒンジを基端部としてヒンジ蓋の前半部だけ開放して前部開口孔だけが開放される構成とすること、
収納部の壁に通気孔を形成し、この収納部内に乾燥剤、酸素吸収剤等の内容物保存のための補助材料を交換可能に収納し、後部開口孔下に配設する構成とすること、
にある。
【００２２】
請求項８記載の上記構成は、内容物保存のための補助材料を収納部に保管する例であると共に、開口孔の形成位置、収納部の配設位置に係る具体例を示すものである。この請求項８記載の構成により、使用時、すなわち内容物を取り出す時にはヒンジを基端部としてヒンジ蓋の前半分を開放し、前部開口孔から内容物を適量取り出すことができるが、この際ヒンジ蓋の後半部は閉じた状態のままとすることができ、後部開口孔から外気が進入して乾燥剤等の補助材料の機能をむやみに低下させることなく、また補助材料が外部にこぼれ出すことを気にすることなく便利に使用することができる。
【００２３】
そして、内容物を消費した時、あるいは補助材料の性能が低下して交換する際には、端部ヒンジからヒンジ蓋全体を開放し、後部開口孔を介して補助材料を交換することができる。また容器を廃棄する際には補助材料を容易に分別して処理できる。なお、補助材料の交換は目的に応じて補助材料だけを交換しても良いし、収納部ごと交換することもできる。
【発明の効果】
【００２４】
本発明は上記した構成であり、以下に示す効果を奏する。
請求項１記載の発明にあっては、たとえば普段の使用時にはヒンジ蓋を端部ヒンジから全開放して開口部を大きく開放することなく、ヒンジ部から部分的に開放して内容物を適量取り出して使用することができ、また内容物を使いきった際には、キャップ体を口筒部から取り外すことなく、ヒンジ蓋を全開放して内容物をこぼすことなく短時間に容器内に再充填することができる。
【００２５】
請求項２記載の発明にあっては、普段はヒンジ蓋を部分的に開けて１つの区画室に収納された内容物を使用することができ、必要に応じて端部ヒンジからヒンジ蓋全体を開けて他方の区画室の材料を取り出したり、交換することができる等、収納物を分別保管しながら必要に応じた便利な使い方ができる。
【００２６】
請求項３記載の発明にあっては、頂壁に、内容物の取り出し、あるいは再充填等に都合の良い開口孔をそれぞれ形成することができ、より便利に使用することができる。
【００２７】
請求項４記載の発明にあっては、普段はヒンジ蓋を部分的に開けて１つの区画室に収納された内容物を開口孔から適量取り出して使用することができ、必要に応じて端部ヒンジからヒンジ蓋全体を開けて他方の区画室の材料を他の開口孔を通して取り出したり、交換することができる等、収納物を分別保管しながら必要に応じた便利な使い方ができる。
【００２８】
請求項５記載の発明にあっては、容器内に普段取り出して使用する内容物のほかに収納部に乾燥剤、酸化防止剤等の補助材料を入れる等、２段階状に開閉可能なヒンジ蓋と組み合わせてさまざまな態様で便利に使用することができる。
【００２９】
請求項６記載の発明にあっては、収納部をキャップ体の頂壁の開口孔の下に配設する具体例であり、頂壁に一体設することもでき、部材の構成を簡略化でき、製造コストを低減できる。
【００３０】
請求項７記載の発明にあっては、収納部ごと収納物を交換することのできる例であり、より便利に使用することができる。
【００３１】
請求項８記載の発明にあっては、内容物を取り出す際に、ヒンジ蓋を部分的に開放するだけであり、収納部が配設されている後部開口孔は閉じた状態のままとすることができ、外気の進入により補助材料の機能をむやみに低下させることなく、また補助材料が外部にこぼれ出すことを気にすることなく便利に使用することができる。また、ヒンジ蓋全体を開放し、後部開口孔を通して補助材料を容易に交換することができ、容器を廃棄する際にも容易に分別して処理できる。
【発明を実施するための最良の形態】
【００３２】
以下本発明の実施の形態を図面を参照しながら説明する。図１〜図４は本発明のキャップ付き容器の第１実施例を示すものであるが、この容器は収納部に乾燥剤Ｄを交換可能に収納する容器の例である。図１は側面図、図２は平面図であり、ヒンジ蓋１１が前後方向の略中央部でヒンジ部１３により、前半部１４ｆと後半部１４ｂに２分されている。また図３および図４はいずれも容器の縦断面図であり、図３はヒンジ蓋１１の前半部１４ｆだけを開放した状態、また図４はヒンジ蓋１１全体を開放した状態を示す。なお図３には前半部１４ｆを閉じた状態を２点鎖線で示している。
【００３３】
本実施例の容器は上端部に口筒部２を有する有底円筒状の容器本体１と、容器本体１の口筒部２に組付き固定するキャップ体３とから構成されている。キャップ体３は口筒部２に螺合組付きする有頂筒状のキャップ本体４を有し、このキャップ本体４の後端部に端部ヒンジ１２を介して、頂壁５を開閉自在に覆うヒンジ蓋１１が一体連結されている。
【００３４】
また、頂壁５下面から口筒部２に密嵌入する嵌入筒片８が垂下設されており、また頂壁５の前半部分に内容物を取り出すための円形の前部開口孔６ｆ、後半部分に乾燥剤Ｄを交換するための円形の後部開口孔６ｂをそれぞれ開口形成している（図２、３参照）。また後部開口孔６ｂの開口周縁部から乾燥剤Ｄを収納するための底壁２４に通気孔２５を形成した有底筒状の収納部２１を垂下配設している。
【００３５】
ヒンジ蓋１１は前述したように前後方向の略中央において横断するヒンジ部１３で前半部１４ｆと後半部１４ｂに２分されている。また前半部１４ｆの下面には前部開口孔６ｆをシールする前部シール筒片１５ｆが、また後半部１４ｂ下面には後部開口孔６ｂをシールするための後部シール筒片１５ｂがそれぞれ垂下設されている。また前端に摘み片１６を付設している。
【００３６】
使用時、すなわち内容物を取り出す時にはヒンジ部１３を基端部としてヒンジ蓋１１の前半部１４ｆだけを開放し、前部開口孔６ｆから内容物を適量取り出すことができるが、この際ヒンジ蓋１１の後半部１４ｂは閉じた状態のままとすることができ、後部シール筒片１５ｂによりシールされた状態が保持され、外気が後部開口孔６ｂから進入して乾燥剤Ｄの機能をむやみに低下させることなく、便利に使用することができる。
【００３７】
そして、内容物を使い終わった時や、乾燥剤Ｄの性能が低下した際には、ヒンジ蓋１１全体を開放した状態で（図４の状態）、本実施例では図４の上方に説明的に示したように、予め用意しておいたタブレット状の乾燥剤Ｄを密閉状の保管袋から取り出して容易に交換補充することができる。そして内容物を再充填すれば容器を廃棄することなく使用を続けることができる。また、容器を廃棄する際には乾燥剤Ｄを取り出して容易に分別廃棄することができる。
【００３８】
なお、他の実施例でも同様であるが、使用時にヒンジ蓋１１の前半部１４ｆを開放する際に、後半部１５ｂが一緒に開放しないように、後部シール筒片１５ｂの脱嵌入強度を十分大きくしたり、適宜にアンダーカット部を付設等しておくことが好ましい。
【００３９】
図５は本発明のキャップ付き容器の第２実施例を示すものであり、ヒンジ蓋１１全体を開放した状態を示す。本実施例は第１実施例の収納部２１に別部材の小型カップ状容器２２を使用したものであり、収納部２２ごと乾燥剤Ｄの交換を可能とした例である。図５の上方に示したのは交換用として用意される小型カップ状容器２２の半縦断面図であり、この小型カップ状容器２２は上端にフランジ２３を周設し底壁２４に多数の通気孔２５を形成したものであり、内部に乾燥剤Ｄを収納した状態で上端開口部と底壁２４をシールフィルム２６で密閉している。
【００４０】
交換時には、ヒンジ蓋１１全体を開放した状態で（図５の状態）、底壁２４を覆うシールフィルム２６を剥がし、小型カップ状容器２２を後部開口孔６ｂから差し込んで、フランジ２３を内鍔周片９ａに当接した状態で、後部開口孔６ｂ下に配設する。
【００４１】
上記のように小型カップ状容器２２を配設した状態でヒンジ蓋１１を閉じると、前部シール筒片１５ｆが密嵌入して前部開口孔６ｆがシールされると共に、後部シール筒片１５ｂが、短筒片９に密嵌入し後部開口孔６ｂがシールされる。また、この状態では小型カップ状容器２２のフランジ２３が内鍔周片９ａと後部シール筒片１５ｂ下端面の間に挟持されるので、頂壁５にしっかりと固定され、使用中にがたがたすることもない。
【００４２】
図６は本発明のキャップ付き容器の第３実施例を示すものであり、（ａ）は平面図、（ｂ）はヒンジ蓋１１を部分的に先端部１７だけを開放した状態の縦断側面図である。なお（ｂ）中に、先端部１７を閉じた状態を２点鎖線で示している。
【００４３】
本実施例の容器は上端部に口筒部２を有する有底円筒状の容器本体１と、容器本体１の口筒部２に組付き固定するキャップ体３とから構成されており、キャップ体３は口筒部２に螺合組付きする有頂筒状のキャップ本体４と、このキャップ本体４の後端部に端部ヒンジ１２を介して、口筒部２の開口部２ａ全域を開閉自在に覆うヒンジ蓋１１が一体連結されている。また、頂壁５下面から口筒部２に密嵌入する嵌入筒片８が垂下設されている。
【００４４】
そして、ヒンジ蓋１１の天板１１ａにヒンジ部１３を形成し、部分的に先端部１７だけを開放することができるようにしている。本実施例の容器は、第１あるいは第２実施例の収納部等の構造を有しない、極くシンプルな形状のものではあるが、普段の使用では先端部１７だけを開放して適量の内容物を取り出すことができ、また必要に応じて端部ヒンジ１２から全面的に開放することにより、たとえばスプーン等で大量に取り出したり、内容物を容易に再充填することもでき、大変便利に使用することができる。勿論使用態様によって、部分的に開放可能な領域を大きくしたり、小さくしたり、また開放方向を変えたりすることも適宜設計可能である。
【００４５】
図７は本発明のキャップ付き容器の第４施例を示すものであり、（ａ）は平面図、（ｂ）はヒンジ蓋１１を部分的に先端部１７だけを開放した状態の縦断側面図である。なお（ｂ）中に、先端部１７を閉じた状態を２点鎖線で示している。
【００４６】
有底円筒状の容器本体１と、容器本体１の上端部の口筒部２に組付き固定するキャップ体３とから構成されており、キャップ体３は、口筒部２に乗り越え係止によりアンダーカット状に組付き固定している点を除いて、キャップ本体４、ヒンジ蓋１１共第３実施例と略同様の形状である。
【００４７】
そして、容器本体１には底壁から区画壁２０ａが起立設しており、この区画壁２０ａにより容器本体１内部に２つの区画室２０が形成されている。またヒンジ蓋１１の天板１１ａの下面に板状の区画片１１ｂを、下端面を区画壁２０ａの上端面に当接するように垂下設して、区画機能をより発揮できる構成としている。
【００４８】
本実施例の容器では、たとえば普段の使用では先端部１７だけを開放して一方の区画室２０に収納された内容物を適量取り出し、また必要に応じて端部ヒンジ１２から全面的に開放して、他の区画室２０に収納された内容物をスプーン等で取り出したり等、様々な使用態様で便利に使用することができる。
【００４９】
また、区画壁２０ａに通気孔を形成する等、両区画室２０を通気可能にしておけば、一方に内容物を収納し、他方に乾燥剤等の補助的材料を収納して使用することもできる。
【００５０】
なお、本発明の実施形態は上記した実施例に限定されるものではない。容器本体の形状、ヒンジ蓋の形態、部分的な開放領域その方向、収納部の形態と配設位置
、収納する材料、開口孔の大きさ、形状、区画室の区画態様等、そしてこれらの組み合わせにより、使用目的、部材の成形性等を考えてさまざまな形態にして、その作用効果を発揮させることができる。
【産業上の利用可能性】
【００５１】
以上説明したように本発明のキャップ付き容器は、ヒンジ蓋を２段階状に開閉可能な構成とすることにより、様々な使用態様で便利に使用することができ、より幅広い用途展開が期待できる。
【図面の簡単な説明】
【００５２】
【図１】本発明の容器の第１実施例の側面図である。
【図２】図１の容器の平面図である。
【図３】図１の容器のヒンジ蓋前半部を開放した状態の縦断側面図である。
【図４】図１の容器のヒンジ蓋全体を開放した状態の縦断側面図である。
【図５】本発明の容器の第２実施例のヒンジ蓋全体を開放した状態の縦断側面図である。
【図６】本発明の容器の第３実施例の（ａ）平面図と、（ｂ）ヒンジ蓋を部分的に開放した状態の縦断側面図である。
【図７】本発明の容器の第４実施例の（ａ）平面図と、（ｂ）ヒンジ蓋を部分的に開放した状態の縦断側面図である。
【符号の説明】
【００５３】
１  ；容器本体
２  ；口筒部
２ａ；開口部
３  ；キャップ体
４  ；キャップ本体
５  ；頂壁
６  ；開口孔
６ｆ；前部開口孔
６ｂ；後部開口孔
８  ；嵌入筒片
９  ；短筒片
９ａ；内鍔周片
１１；ヒンジ蓋
１１ａ；天板
１１ｂ；区画片
１２；端部ヒンジ
１３；ヒンジ部
１４ｆ；前半部
１４ｂ；後半部
１５ｆ；前部シール筒片
１５ｂ；後部シール筒片
１６；摘み片
１７；先端部
２０；区画室
２０ａ；区画壁
２１；収納部
２２；小型カップ状容器
２３；フランジ
２４；底壁  
２５；通気孔
２６；シールフィルム
Ｄ  ；乾燥剤
【図１】
2006206156.tif 000003
【図２】
2006206156.tif 000004
【図３】
2006206156.tif 000005
【図４】
2006206156.tif 000006
【図５】
2006206156.tif 000007
【図６】
2006206156.tif 000008
【図７】
2006206156.tif 000009